(57)【要約】多層バンド（２）の包装材料の成型方法には、第１バンド（３）と第２バンド（４）の接合向けのステーション（１０）まで延びる、それぞれ第１および第２供給経路（Ｐ１，Ｐ２）に沿う熱成型材料の第１バンド（３）、および少なくとも第２バンド（４）の供給が含まれる。バンド（３，４）は、接合ステーション（１０）において第３供給経路（Ｐ３）に沿って供給される多層バンド（２）と密封によって接合されて第３バンドが得られる。さらに、本方法にはバンド（３，４，２）の少なくとも１本が該バンドの三次元効果視覚画像の定義用の処理を受けるもう一つの段階が含まれる。【選択図】図１
2007532428.tif 000002
【特許請求の範囲】
【請求項１】
少なくとも１本のバンド（３，４，２）のバンド３次元効果視覚画像定義のための追加の処理段階が含まれることを特徴とする、それぞれ第１および第２供給経路（Ｐ１，Ｐ２）に沿う熱成型材料の第１バンド（３）、および少なくとも第２バンド（４）の供給が含まれ、これが前記第１バンド（３）および前記第２バンド（４）の接合用の接合ステーション（１０）まで延び、前記接合ステーション（１０）において前記バンド（３，４）が第３供給経路（Ｐ３）に沿って供給される多層バンド（２）に密封によって接合されて第３のバンドが獲得される多層バンド（２）包装材料成型方法。
【請求項２】
前記画像定義処理が前記接合ステーション（１０）で行われる請求項１に記載の方法。
【請求項３】
前記画像定義処理が前記接合ステーション（１０）の上流で行われる請求項１に記載の方法。
【請求項４】
前記画像定義処理が前記第３経路（Ｐ３）に沿う前記接合ステーション（１０）の下流の前記第３バンド（２）で行われる請求項１に記載の方法。
【請求項５】
前記第１バンド（３）および前記第２バンド（４）がそれぞれのボビン（５，１１）から巻き戻され、前記画像定義がボビン上のこれらの巻き取り前かあるいはその最中に前記第１および第２バンド（３，４）の少なくとも１つにおいて行われる請求項１に記載の方法。
【請求項６】
前記画像定義処理が前記バンド（３，４，２）上のホログラム印刷用の機械処理である請求項１に記載の方法。
【請求項７】
前記ホログラムがデジタル写真画像によって定義される請求項６に記載の方法。
【請求項８】
前記ホログラムがロゴ、名称、商標、あるいは同様のものによって定義される請求項６に記載の方法。
【請求項９】
前記ホログラムが少なくとも一つの英数字コードによって定義される請求項６に記載の方法。
【請求項１０】
前記ホログラムがブライユコード表記によって定義される請求項６に記載の方法。
【請求項１１】
前記処理が前記バンド（３，４，２）上のフィリグリー印刷用の機械処理である請求項１に記載の方法。
【請求項１２】
前記第３バンド（２）が、前記品物（９）で充填された前記ブリスターバンド（３）からなる前記第１熱成型バンド（３）の相互接合によって得られる品物（９）付きのブリスターバンド（２）であると同時に、前記第２バンド（４）が前記ブリスターバンド（３）の密封用の閉鎖バンド（４）からなる請求項１に記載の方法。
【請求項１３】
前記品物（９）が薬品であることを特徴とする請求項１１に記載の方法。
【請求項１４】
請求項１１あるいは請求項１２に記載の方法によるブリスターバンド（２）の切断分割によって得られるブリスターパック（１３）。
【発明の詳細な説明】
【技術分野】
【０００１】
本発明は多層バンドの包装材料成型方法に関する。
【０００２】
本発明は、少なくともその１本は熱成型可能である２本のバンド材料の接合による多層バンドいわゆるブリスターバンドの成型に利用されるのが有利である。ブリスターバンドには品物、特に、錠剤、あるいはカプセルといった薬品が収納され、以降の説明はその一般性を失うことなくこれについて明確に言及される。
【背景技術】
【０００３】
多くの事例における先行技術によると、品物を収納するブリスターバンドは、ボビンから巻き戻されると同時に、予め固定された経路に沿って走行する熱成型材料の第１バンドの供給によって成型され、該経路はブリスターが熱成型によって定義されるステーションまで、ブリスターが品物で充填されるための次のステーションまで、かつその後、２積層が含まれるブリスターバンドを成型するもう１本のバンド材料にブリスターバンドが接合されるさらに次のステーションまで延びる。
【０００４】
接合ステーションには、供給経路に沿って接合ステーションに供給される各ボビンから巻き戻される別のバンドにより品物が充填されるブリスターバンドの密封用の加熱手段が含まれる。
【０００５】
この方法によると、接合ステーションの下流で、ブリスターバンドが、例えば、切断によって、続いて単一ブリスターパックに分割され、そのそれぞれにブリスターに同封される選定された数の品物が含まれる。
【発明の開示】
【０００６】
本発明の目的は、こうして得られるブリスターパックに視覚手段があって、これにより偽造あるいは本物でない可能性のあるブリスターパックが見て明らかになるように、ブリスターバンドの成型および切断分割方法を改善することである。
【０００７】
本発明は包装多層バンド成型方法を提案するものであり、これには第１および第２供給経路に沿う熱成型材料の第１バンドおよび少なくとも第２バンドの供給が含まれ、これらが、前記第１バンドおよび前記第２バンドの接合用の接合ステーションまで延び、前記接合ステーションにおいて前記両バンドが第３供給経路に沿って供給される多層バンドに密封によって接合されて第３のバンドが得られ、本方法はこれにもう一つ別の段階が含まれ、この段階中に前記バンドの少なくとも１本がバンドに三次元効果の視覚画像を定義するよう処理されることを特徴とする。
【発明を実施するための最良の形態】
【０００８】
本発明の技術的特徴は、上記された目的に従って、以下に公表される請求項の内容から明確に理解されるとともに、本発明の利点は、添付図面が参照される以下の詳細説明からさらに明らかになろう。
【０００９】
添付図面を参照すると、参照番号１により、それ自体が既知の２層バンド２の成型装置が示される。
【００１０】
特に、バンド２はブリスターバンドであるとともに、密封バンド４との熱成型バンド３の安定した接合によって定義される。
【００１１】
バンド３は、ボビン５から巻き戻されるとともに、ブリスター７が成型される熱成型ステーション６まで延びる経路Ｐ１に沿って供給され、引き続きブリスター７が品物９、好ましくは薬品で充填される次のステーション８まで、そして品物９で充填されたブリスター７付きのバンド３が、ボビン１１から巻き戻されるととともにブリスターバンド２が成型される経路Ｐ２に沿う接合ステーション１０に供給されるバンド４と接合されると同時に密封される接合ステーション１０まで延びる。
【００１２】
接合ステーション１０の下流において、こうして得られたブリスターバンド２は剪断ステーション１２に達するまで経路Ｐ３に沿って前方に移動し、ここでバンド２は関連するブリスターパック１３に切断分割される。
【００１３】
添付図に示される好ましいが限定されない実施例によると、接合ステーション１０には、向かい合って面するロールが含まれると同時に、ブリスター７を受入れるための窪み部１５のある下部凹型駆動ロール１４、およびブリスターバンド３にバンド４を密封する上部加熱押込みロール１６が含まれる。
本発明によると、上述の装置１におけるブリスターバンドの成型方法は既知の作業段階に三次元効果視覚画像、例えば光あるいは陰影効果が少なくともバンド３に定義される段階が付加されることによって改善される。
【００１４】
この目的で、駆動ロール１４の周囲面および／または押込みロール１６の周囲面は、例えば、電気機械的あるいは類似の処理によって機械的に適切に処理されて、該ロール１４および／または１６の表面には、使用時に、たとえばデジタル写真画像、ロゴ、名称、商標（例えば、薬品メーカーの商標）、１つ以上の英数表示コード（図示されず）、あるいはまたブライユコード表記といった、バンド３および／または４にホログラムあるいはその他が適用されるための別に準備されるレリーフを有する構造がある。
【００１５】
好ましい変型例によると、ロール１４および／またはロール１６は、バンド３および／または４に、例えば、紙幣と同じような既知タイプのフィリグリー（図示されず）が刻印されるように機械的に適当に処理される。
【００１６】
こうして、バンド３およびバンド４の接合によって定義されるブリスターバンド２の切断分割によって得られるブリスターパック１３により、ブリスターパック１３は偽造が困難になることが良く理解され、かつ明快に説明された。
【００１７】
現在、ブリスターパック１３の偽造防止処理は、薬品メーカーによる研究、ならびに関連する金融資本に対してなされてきた努力に対応する経済的な観点からだけでなく、そこに同封される製品にはさらなる有効成分が含まれるため、薬理学上の効率の観点からもさらに重要である。
【００１８】
別の変型例による本装置１（添付図には示されず）では、接合ステーション１０が向かい合う方向に相互動作を伴って移動する、つまりレリーフ構造の獲得のための上の機械処理が少なくとも１枚の板の表面で行われる平板が含まれる既知のタイプのものである。
【００１９】
上の説明によると、ホログラムあるいはフィリグリーの刻印は接合ステーション１０によって、かつここで行われるのが好ましいが、これは例えばバンド３にのみ、あるいはバンド４のみに作動する適当な処理手段によって接合ステーション１０の上流でも、あるいは経路Ｐ３に沿って供給されるブリスターバンド２に直接作動する適当な処理手段によって接合ステーション１０の下流でも行われ得ることも、また指摘されなくてはならない。
【００２０】
さらに別の実施例（図示されず）によると、各ボビン５および１１に巻き上げられる前に、あるいは巻上げ中にバンド３および／または４はホログラムあるいはフィリグリーが刻印される機械処理を受け、こうして装置１の運転中のホログラム／フィリグリーの実行の必要性が回避される。
【００２１】
このように考えられた本発明は、発明の範囲内に留まる多くの修正および変型を受け得る。
【００２２】
さらに、全ての詳細は技術的に等価な要素と差し替えが可能である。
【図面の簡単な説明】
【００２３】
【図１】提案される方法を実行する装置の、好ましいが限定されない実施例の概要図である。
【図１】
2007532428.tif 000003
【国際調査報告】
2007532428.tif 000004
2007532428.tif 000005